(57)【要約】      （修正有）【課題】ブロワー式電気装置嵌め込み式のスプリングマットレスアセンブリの提供。【解決手段】スプリングマットレス１０内部に内フレーム１１が設置され、内フレーム１１に電気ボックス２１が嵌め込まれ、電気ボックスに入風口２１６と出風口１３が設けられ、且つ内部にブロワー及び回路板が設置され、並びに表面にタイマー２１７、風速調整器２１８、温度調整器２１９が設置され、天気が寒くスプリングマットレスに存在する湿気と黴菌を除去したい時、電気ボックスの加熱によりスプリングマットレス内部に熱気対流を発生させ、スプリングマットレスの湿気を除去すると共にスプリングマットレスを温暖に保持し、人々がスプリングマットレスで寝る時に良好な睡眠環境を有し、迅速に睡眠でき睡眠品質を改善する。【選択図】図１
0003113107.tif 000002
【実用新案登録請求の範囲】
【請求項１】
ブロワー式電気装置嵌め込み式のスプリングマットレスアセンブリにおいて、
内フレームが設置され該内フレームに出風口が設けられたスプリングマットレスと、
ブロワー式電気装置とを具え、該ブロワー式電気装置が電気ボックスを具え、該電気ボックスが、該スプリングマットレスの内フレームに嵌め込まれ、内部にブロワー、回路板とセンサが設けられ、外部に出風口、入風口、タイマー、風速調整器、温度調整器が設けられ、且つ該電気ボックスの出風口が該内フレームの出風口と突き合わされたことを特徴とする、ブロワー式電気装置嵌め込み式のスプリングマットレスアセンブリ。
【請求項２】
請求項１記載のブロワー式電気装置嵌め込み式のスプリングマットレスアセンブリにおいて、スプリングマットレスの内フレームにカバー板が組み合わされたことを特徴とする、ブロワー式電気装置嵌め込み式のスプリングマットレスアセンブリ。
【請求項３】
請求項１記載のブロワー式電気装置嵌め込み式のスプリングマットレスアセンブリにおいて、電気ボックスの入風口に導流管が組み合わされたことを特徴とする、ブロワー式電気装置嵌め込み式のスプリングマットレスアセンブリ。
【請求項４】
請求項１記載のブロワー式電気装置嵌め込み式のスプリングマットレスアセンブリにおいて、内フレームの両側に滑り溝が設けられ、電気ボックスの両側にスライドレールが設けられ、該電気ボックスのスライドレールが内フレームの滑り溝に嵌め込まれることで電気ボックスが内フレームに嵌め込まれることを特徴とする、ブロワー式電気装置嵌め込み式のスプリングマットレスアセンブリ。
【請求項５】
請求項１記載のブロワー式電気装置嵌め込み式のスプリングマットレスアセンブリにおいて、電気ボックスに電線が接続され且つ上面にハンドルが設けられたことを特徴とする、ブロワー式電気装置嵌め込み式のスプリングマットレスアセンブリ。
【請求項６】
請求項１記載のブロワー式電気装置嵌め込み式のスプリングマットレスアセンブリにおいて、ブロワーに吸風ファンが設けられ、該吸風ファンの周囲に管体が接続され、該管体内に電熱線が設けられたことを特徴とする、ブロワー式電気装置嵌め込み式のスプリングマットレスアセンブリ。
【請求項７】
請求項１記載のブロワー式電気装置嵌め込み式のスプリングマットレスアセンブリにおいて、電気ボックスの入風口内部にフィルタネットが設けられ、並びに電気ボックスの入風口と出風口に安全保護ネットが設けられたことを特徴とする、ブロワー式電気装置嵌め込み式のスプリングマットレスアセンブリ。
【考案の詳細な説明】
【技術分野】
【０００１】
本考案はブロワー式電気装置嵌め込み式のスプリングマットレスアセンブリに係り、特に内部に電気ボックスが取り付けられて電気ボックスの発生する熱気によりスプリングマットレスを適当な温度に維持できるスプリングマットレスアセンブリに関する。
【背景技術】
【０００２】
伝統的なマットレス構造は、ほとんどがスポンジが多層布材内部に結合されて形成され、既にマットレスの使用の快適性を増すために環形コイル式スプリングが内部に設置されたマットレスが提供されてスプリングマットレスとされ、スプリングマットレスは使用上は比較的良好な快適性を有するが、重量が増加し運搬に不便な問題がある。更に、人々が毎日スプリングマットレスで寝ると、身体がスプリングマットレスと密接に接触するため垢や汗がマットレスに残留しスプリングマットレスを長時間使用した後に各種の黴菌が発生する環境となりやすく、もし適時にスプリングマットレスを日に晒さなければ、人体がその上に仰臥すると湿気と黴菌により不快感を感じるほか、人体の健康も非常に損なう恐れがある。このような情況を改善するため本考案者はスプリングマットレスに使用されるブロワー式電気装置により、スプリングマットレスに使用上存在する問題を解決することを思い立った。
【考案の開示】
【考案が解決しようとする課題】
【０００３】
本考案は上述のスプリングマットレスの実際の使用時に存在する欠点及び制限を鑑み、一種の斬新なブロワー式電気装置嵌め込み式のスプリングマットレスアセンブリを提供するものである。
【０００４】
本考案の主要な目的は、一種のブロワー式電気装置嵌め込み式のスプリングマットレスアセンブリを提供することにあり、それはスプリングマットレス内部に電気ボックスが取り付けられて、電気ボックスに熱気を発生させることでスプリングマットレス内部を比較的高い温度に維持し、並びに人体に有害な最近を除去できるようにしたものとする。
【０００５】
本考案の次の目的は、一種のブロワー式電気装置嵌め込み式のスプリングマットレスアセンブリを提供することにあり、それは電気ボックスの独立して取り外せる特性により、電気ボックスを一般の衣服、布団、箪笥等の加熱乾燥に使用できるものとする。
【０００６】
上述の目的を達成するため、本考案によると、スプリングマットレス内部に内フレームが設置され、内フレームに電気ボックスが嵌め込まれ、電気ボックスに入風口と出風口が設けられ、且つ内部にブロワー及び回路板が設置され、並びに表面にタイマー、風速調整器、温度調整器が設置され、天気が寒くスプリングマットレスに存在する湿気と黴菌を除去したい時、電気ボックスの加熱によりスプリングマットレス内部に熱気対流を発生させ、スプリングマットレスの湿気を除去すると共にスプリングマットレスを温暖に保持し、人々がスプリングマットレスで寝る時に良好な睡眠環境を有し、迅速に睡眠でき睡眠品質を改善する。
【課題を解決するための手段】
【０００７】
請求項１の考案は、ブロワー式電気装置嵌め込み式のスプリングマットレスアセンブリにおいて、
内フレームが設置され該内フレームに出風口が設けられたスプリングマットレスと、
ブロワー式電気装置とを具え、該ブロワー式電気装置が電気ボックスを具え、該電気ボックスが、該スプリングマットレスの内フレームに嵌め込まれ、内部にブロワー、回路板とセンサが設けられ、外部に出風口、入風口、タイマー、風速調整器、温度調整器が設けられ、且つ該電気ボックスの出風口が該内フレームの出風口と突き合わされたことを特徴とする、ブロワー式電気装置嵌め込み式のスプリングマットレスアセンブリとしている。
請求項２の考案は、請求項１記載のブロワー式電気装置嵌め込み式のスプリングマットレスアセンブリにおいて、スプリングマットレスの内フレームにカバー板が組み合わされたことを特徴とする、ブロワー式電気装置嵌め込み式のスプリングマットレスアセンブリとしている。
請求項３の考案は、請求項１記載のブロワー式電気装置嵌め込み式のスプリングマットレスアセンブリにおいて、電気ボックスの入風口に導流管が組み合わされたことを特徴とする、ブロワー式電気装置嵌め込み式のスプリングマットレスアセンブリとしている。
請求項４の考案は、請求項１記載のブロワー式電気装置嵌め込み式のスプリングマットレスアセンブリにおいて、内フレームの両側に滑り溝が設けられ、電気ボックスの両側にスライドレールが設けられ、該電気ボックスのスライドレールが内フレームの滑り溝に嵌め込まれることで電気ボックスが内フレームに嵌め込まれることを特徴とする、ブロワー式電気装置嵌め込み式のスプリングマットレスアセンブリとしている。
請求項５の考案は、請求項１記載のブロワー式電気装置嵌め込み式のスプリングマットレスアセンブリにおいて、電気ボックスに電線が接続され且つ上面にハンドルが設けられたことを特徴とする、ブロワー式電気装置嵌め込み式のスプリングマットレスアセンブリとしている。
請求項６の考案は、請求項１記載のブロワー式電気装置嵌め込み式のスプリングマットレスアセンブリにおいて、ブロワーに吸風ファンが設けられ、該吸風ファンの周囲に管体が接続され、該管体内に電熱線が設けられたことを特徴とする、ブロワー式電気装置嵌め込み式のスプリングマットレスアセンブリとしている。
請求項７の考案は、請求項１記載のブロワー式電気装置嵌め込み式のスプリングマットレスアセンブリにおいて、電気ボックスの入風口内部にフィルタネットが設けられ、並びに電気ボックスの入風口と出風口に安全保護ネットが設けられたことを特徴とする、ブロワー式電気装置嵌め込み式のスプリングマットレスアセンブリとしている。
【考案の効果】
【０００８】
本考案は設計上、以下のような長所を有している。
１．スプリングマットレス内に内フレームが設置され、更に内フレームと電気ボックス側面に対応するレールが設けられたことにより、電気ボックスをレールに沿って移動させるだけで、電気ボックスをスプリングマットレスに取り付けることができ、ゆえに取り付けと取り外し上、いずれも非常に便利である。このほか、取り外し後の電気ボックスを一般の衣服、布団、箪笥等の加熱乾燥に使用でき、更に冬にはその発生する熱気により室内温度を改変して暖房機に類似の使用効果を達成できる。
２．本考案の電気ボックスにはタイマー、風速調整器、温度調整器が設けられ、且つ内部にブロワーと回路板が設置され、ゆえに回路板の設計によりタイマー、温度と風速を制御できる。更に電気ボックス内に別にセンサが設置され、ゆえに温度異常が発生すると自動停電でき、使用者の安全を確保できる。
３．本考案は電気ボックスがスプリングマットレス内部に組み合わされ、ゆえに電気ボックスを起動する時、電気ボックスの発生する熱気がスプリングマットレス内部で熱対流を形成し、スプリングマットレスに長期使用により形成される湿気現象を解消でき、スプリングマットレスの使用寿命を延長でき、またスプリングマットレスが人体より温度をやや高くできることで人々がその上に仰臥する時に保温と心身リラックスの使用効果を形成し、人々を速やかに眠らせ、人々の睡眠品質を改善する。
４．本考案の電気ボックスには更にもう一つの効用があり、即ち温度調整器を起動しない時、電気ボックスが一般の空気循環を発生でき、夏に使用する時、放熱の効果を有する。並びにスプリングマットレスに液体がこぼれて掃除が必要となったり梅雨の季節には、温度調整器を起動してスプリングマットレスを加熱乾燥でき、ゆえに本考案は四季のいずれも使用でき、極めて高い経済性と利用価値を有している。
【考案を実施するための最良の形態】
【０００９】
図１、３に示されるように、本考案のブロワー式電気装置嵌め込み式のスプリングマットレスアセンブリは、スプリングマットレス１０とブロワー電気装置２０を包含する。
【００１０】
上述のスプリングマットレス１０の側面に内フレーム１１が設けられ、且つ内フレーム１１の両側及び背面に滑り溝１２と出風口１３が設けられている。
【００１１】
上述のブロワー電気装置２０は電気ボックス２１、導流管２２及びカバー板２３を包含する。
【００１２】
上述の電気ボックス２１に電線２１０が接続され且つ内部にブロワー２１１、回路板２１２及びセンサ（図示せず）が設けられ、両側にスライドレール２１３が設けられ、上面にハンドル２１４が設けられ、背面に出風口２１５が設けられ、正面に入風口２１６、タイマー２１７、風速調整器２１８、温度調整器２１９が設けられている。またブロワー２１１に吸風ファン２１１１が設けられ、吸風ファン２１１１の周囲に管体２１１２が接続され、管体２１１２内に電熱線２１１３が設けられている。
【００１３】
上述の電気ボックス２１と電線２１０には分離式設計が採用され、平常の不使用時には電線２１０を収容でき、使用時に電線２１０の一端を電気ボックス２１に設けられたソケットに挿入することで、電気ボックス２１と電線２１０の接続を完成できる。
【００１４】
上述の電気ボックス２１の入風口２１６内部にフィルタネット（図示せず）が設置され、並びに入風口２１６と出風口２１５に安全保護ネットが設置されている。
【００１５】
続いて図１から図４に示されるように、本考案の組合せと使用は電気ボックス２１両側のスライドレール２１３をスプリングマットレス１０の内フレーム１１の滑り溝１２に挿入し、更に電気ボックス２１を内向きに押して電気ボックス２１の出風口２１５が内フレーム１１の出風口１３に突き合わされた後に、電線２１０を電源ソケットに挿入し、電気ボックス２１に電源を供給し、その後、導流管２２を入風口２１６に組合せてマットレスが入風口２１６を塞ぎ電気ボックス２１の使用に影響が生じるのを防止し、図４に示されるように、更に使用の必要により電気ボックス２１正面のタイマー２１７、風速調整器２１８、温度調整器２１９を回して全ての設定が完成した後、図３に示されるように電気ボックス２１内部の回路板２１２が作成された設定により、ブロワー２１１の吸風ファン２１１１と電熱線２１１３を起動して空気を入風口２１６より吸入させ、空気を管体２１１２で輸送し電熱線２１１３で加熱し、スプリングマットレス１０の内部に温暖な対流空気を形成し、これによりスプリングマットレス１０を加熱し、これによりスプリングマットレス１０の湿気と黴菌を除去してスプリングマットレス１０を最良の寝具となす。電気ボックス２１の温度異常時にはセンサが即刻電源を切断し、使用者の安全を確保する。更に電気ボックス２１は温度調整器２１９を起動しない時も一般の空気循環を発生でき、夏に使用する時に放熱の効果を有する。電気ボックス２１を不使用の時は、導流管２２を入風口２１６より取り外し、更にカバー板２３をスプリングマットレス１０の内フレーム１１に組み合わせれば電気ボックス２１の保護を形成でき、またスプリングマットレス１０を美化する使用効果を得られる。
【００１６】
最後に図５に示されるように（図１、２も参照されたい）、本考案の別の形態のスプリングマットレス１０の中間には隔板１４が形成され、ブロワー電気装置２０は同様に電気ボックス２１がスプリングマットレス１０の内フレーム１１に組み合わされ、更に使用時間により電気ボックス２１正面に設けられた調整器が回され、電気ボックス２１不使用時には導流管２２を入風口２１６より取り外し、更にカバー板２３をスプリングマットレス１０の内フレーム１１に組み合わせれば、本考案の別形態のスプリングマットレス１０とブロワー電気装置２０の組合せと使用が完成する。
【００１７】
以上の実施例は本考案の範囲を限定するものではなく、本考案の説明及び図面の記載に基づきなしうる細部の修飾或いは改変は、いずれも本考案の請求範囲に属するものとする。
【００１８】
総合すると、本考案の構造は確実に予期された効果と目的を達成し、ゆえに本考案は実用性と進歩性を具え、本考案はその出願前に同じ物品の公開使用或いは刊行物への記載がなく、ゆえに本考案は新規性を具えている。
【図面の簡単な説明】
【００１９】
【図１】本考案のスプリングマットレスとブロワー電気装置の立体分解図である。
【図２】本考案のスプリングマットレスとブロワー電気装置の立体組合せ図である。
【図３】本考案の電気ボックス内部の平面図である。
【図４】本考案の電気ボックスの正面図である。
【図５】本考案の別の形態のスプリングマットレスとブロワー式電気装置の立体組合せ図である。
【符号の説明】
【００２０】
１０  スプリングマットレス      １１  内フレーム
１２  滑り溝                    １３  出風口
１４  隔板                      ２０  ブロワー式電気装置
２１  電気ボックス              ２１０  電線
２１１  ブロワー                ２１１１  吸風ファン
２１１２  管体                  ２１１３  電熱線
２１２  回路板                  ２１３  スライドレール
２１４  ハンドル                ２１５  出風口
２１６  入風口                  ２１７  タイマー
２１８  風速調整器              ２１９  温度調整器
２２  導流管                    ２３  カバー板
【図１】
0003113107.tif 000003
【図２】
0003113107.tif 000004
【図３】
0003113107.tif 000005
【図４】
0003113107.tif 000006
【図５】
0003113107.tif 000007